【事件の表示】
　特許第３２６８２４３号「データ入力方法」の請求項１ないし４に係る特許に対する特許異議の申立てについて、次のとおり決定する。
【結　論】
　訂正を認める。
　特許第３２６８２４３号の請求項１に係る特許を維持する。
【理　由】
１．手続の経緯
　特許第３２６８２４３号に係る発明は、平成９年１０月３１日に、特許出願され、平成１４年１月１１日にその特許権の設定登録がなされ、その後、中村雅之と大木茂より特許異議の申立てがなされ、取消の理由が通知され、その指定期間内である平成１５年２月３日に訂正請求がなされたものである。
　
２．訂正の適否についての判断
（１）訂正の内容
　ア．訂正事項ａ
　特許請求の範囲の請求項２乃至４を削除する。
　イ．訂正事項ｂ
　特許請求の範囲の請求項１に「画面（１０）上に予め設定した１または複数のデータ設定項目（１２）に対して手動でデータを入力する方法であって、データを入力すべき設定項目（１２）を選択する工程と、その選択動作に対応して、選択された設定項目（１２ａ）に対する手動によるデータ入力を可能とするデータ入力手段（１４）を画面（１０）上に表示する工程と、そのデータ入力手段（１４）を使用してデータを入力する工程と、入力されたデータを決定する工程と、そのデータ決定動作と連動して、上記したデータ入力手段（１４）を画面（１０）上から消去するとともに、決定されたデータを選択された設定項目（１２ａ）に移行する工程とを備え、上記した選択された設定項目（１２ａ）の少なくとも一部が表示された状態で上記したデータ入力手段（１４）が画面（１０）上に表示されるとともに、データ入力手段（１４）の表示位置以外の部分を選択することにより、上記した入力データの決定動作が行われることを特徴とするデータ入力方法。」とあるのを「画面（１０）上に予め設定した１または複数のデータ設定項目（１２）に対して手動でデータを入力する方法であって、データを入力すべき設定項目（１２）を選択する工程と、その選択動作に対応して、選択された設定項目（１２ａ）に対する手動によるデータ入力を可能とするデータ入力手段（１４）を画面（１０）上に表示する工程と、そのデータ入力手段（１４）を使用してデータを入力する工程と、入力されたデータを決定する工程と、そのデータ決定動作と連動して、上記したデータ入力手段（１４）を画面（１０）上から消去するとともに、決定されたデータを選択された設定項目（１２ａ）に移行する工程とを備え、前記選択工程では、前記設定項目（１２）は設定項目名（５６）と設定データ表示部（５７）とから構成され、該設定項目名（５６）が配設された設定項目表示欄（５８）と、設定データ表示部（５７）が配設された設定データ表示欄（６２）とが画面（１０）上に区画して表示され、前記表示工程では、前記データ入力手段（１４）が前記設定データ表示欄（６２）に重畳して表示される一方、前記設定項目表示欄（５８）が表示された状態で、該設定項目表示欄（５８）の略全体を覆って透過状態のデータ決定キー（７０）が設定され、前記決定工程では、該データ決定キー（７０）を指示することにより、上記した入力データの決定動作が行われることを特徴とするデータ入力方法。」と訂正する。
（２）訂正の目的の適否、新規事項の有無及び拡張・変更の存否
　訂正事項ａは、請求項の削除を目的とするものであり、当初明細書の範囲内でなされた訂正であって、不明瞭な記載の釈明である。
　訂正事項ｂについて当初明細書の記載をみてみると、「選択工程」においてなされた請求項の限定は、当初明細書の段落【００２５】に「同様にして、「スタートタイム」や「パスワード」など、システムの初期設定時に必要な設定項目名５６を表示画面１０の左半分を用いてリストアップすることにより設定項目名表示欄５８を設ける一方、表示画面１０の右半分を利用して、各入力項目１２毎の設定データ表示部５７からなる設定データ表示欄６２を設定することにより、システム設定画面６０を構成する。」旨記載されており、「表示工程」においてなされた請求項の限定は、当初明細書の段落【００３０】に「またライブラリ画面６４は、ベース画面の右半分を使用してテンキー６８を構成し、左半分を使用してデータ決定キー７０を構成している。ここでテンキー６８は、上部に入力データの表示部７２を備える一方、上記したタッチパネル指示入力用の処理指示語ＷＴや文字列表示用の処理指示語ＷＳをはじめとした各種の処理指示語を使用して、１０進あるいは１６進数のキーボードを構成することにより、各キー７４の押圧に対応してその数値が表示部７２に表示される様に構成している。」旨記載されていたものであり、「決定工程」においてなされた請求項の限定は、当初明細書の段落【００３２】に「次に入力データの決定キー７０は、ベース画面の左半分を一杯に使用して設定されるとともに、そのキー７０の存在を示す一切の表示を行わない。一方、上記したライブラリ画面表示用の処理指示語ＷＬにおける表示モードＭとして、透過または不透過の区別を設けている。ここで不透過の場合は重畳される画面の表示を消去するが、透過モードに設定すると、ライブラリ画面６４中における画像表示がされていない箇所における重畳される側の表示がそのまま消去されることなく表示される。」旨記載されており、併せて【図１】、【図２（ａ）】及び【図２（ｂ）】の記載を参酌すれば、いずれも当初明細書の範囲内でなされた訂正である。
　また、当該訂正により特許請求の範囲に記載された「選択工程」、「表示工程」及び「決定工程」を訂正事項どおりに減縮することを目的としたものであり、該訂正により、特許請求の範囲が変更されるものでもない。
（３）むすび
　したがって、上記訂正は、特許法第１２０条の４第３項で準用する同法第１２６条第１項ただし書き、第２項及び第３項の規定に適合するので、当該訂正を認める。
　
３．取消理由の概要・判断
　当審において通知した取消理由の概要は、本件特許の請求項１乃至４に係る発明は、下記刊行物の記載に基づき当業者が容易に発明できたものである、もしくは、刊行物に記載された発明であるから、特許法第２９条第１項第３号の規定もしくは第２項の規定により特許を受けることができないものであるというものである。
刊行物１：特開平６−６０１９８号公報
刊行物２：特開平５−１１９２５号公報
刊行物３：特公平５−２２２５３号公報
刊行物４：特開平７−１５４５２６号公報
刊行物５：特開平５−４０７９２号公報
刊行物６：和泉電気株式会社「ＨＧ１Ａ形プログラマブル表示器インストラクションマニュアル本体編」（１９９５年４月）ＰＰ４−６
刊行物７：株式会社小松製作所「アドバンスド　インテリジェント　パネル　ユーザーズマニュアル　ＫＤＰ１３２０ＣＡ／ＫＤＰ１３２０ＬＡ」（１９９４年６月１日）ＰＰ６−２，６−５
　しかしながら、各刊行物には、本件特許の請求項１に記載された「設定項目表示欄（５８）が表示された状態で、該設定項目表示欄（５８）の略全体を覆って透過状態のデータ決定キー（７０）が設定され、前記決定工程では、該データ決定キー（７０）を指示することにより、上記した入力データの決定動作が行われる」点についての記載がなく、またこれを示唆する記載もない。
　また、本件特許の請求項１に記載された発明は、該構成により明細書記載の「【００３９】すなわち本実施例にあっては、ライブラリ画面６４ａの呼出し時にシステム設定画面６０をすべて消去した状態でテンキー６８の様なデータ入力手段１４が表示される。更に画面１０上には、入力データの決定キー７０ａと、選択した設定項目名５６ａが同時に表示されることにより、設定内容を確認しながら数値入力を可能とするとともに、その設定内容が容易に決定できる様にしている。」という作用効果を奏するものである。
　したがって、本件特許請求項１に係る発明が各刊行物に記載された発明であるとも、各刊行物記載の発明から当業者が容易に発明をすることができたものであるとすることはできないのであるから、特許法第２９条第１項第３号または第２項の規定により特許を受けることができないものであるとすることはできない。
　
４．むすび
　以上のとおりであるから、特許異議申立て及び取消理由通知の理由及び証拠によっては、本件請求項１に係る特許を取り消すことができない。
　また、他に本件請求項１に係る特許を取り消すべき理由を発見しない。
　よって、結論のとおり決定する。
【異議決定日】
平成１５年２月１２日（２００３．２．１２）
【訂正の要旨】
訂正事項
ａ．特許請求の範囲の請求項２〜４を削除する訂正を行う。
ｂ．特許請求の範囲の請求項１中、
　▲１▼　第５段の前に、「その」の記載を加える訂正を行う。
　▲２▼　第６段の「・・・移行する工程とを備え、」の次に、「前記選択工程では、前記設定項目（１２）は設定項目名（５６）と設定データ表示部（５７）とから構成され、該設定項目名（５６）が配設された設定項目表示欄（５８）と、設定データ表示部（５７）が配設された設定データ表示欄（６２）とが画面（１０）上に区画して表示され、」の文言を加入する訂正を行う。
　▲３▼　第７段の前に、「前記表示工程では、」の記載を加える訂正を行う。
　▲４▼　第７段の後半部分における「上記したデータ入力手段（１４）が画面（１０）上に表示されるとともに」を、「前記データ入力手段（１４）が前記設定データ表示欄（６２）に重畳して表示される一方」と訂正する。
　▲５▼　第７段の前半部分における「上記した選択された設定項目（１２ａ）の少なくとも一部が表示された状態で」を、「前記設定項目表示欄（５８）が表示された状態で」と訂正する。
　▲６▼　第７段の後に、「該設定項目表示欄（５８）の略全体を覆って透過状態のデータ決定キー（７０）が設定され、」の記載を加える訂正を行う。
　▲７▼　第８段の前に「前記決定工程では、」の記載を加える訂正を行う。
　▲８▼　第８段の「データ入力手段（１４）の表示位置以外の部分を選択」を、「該データ決定キー（７０）を指示」と訂正する。
（５４）【発明の名称】
データ入力方法
（５７）【特許請求の範囲】
　【請求項１】　画面（１０）上に予め設定した１または複数のデータ設定項目（１２）に対して手動でデータを入力する方法であって、
　データを入力すべき設定項目（１２）を選択する工程と、
　その選択動作に対応して、選択された設定項目（１２ａ）に対する手動によるデータ入力を可能とするデータ入力手段（１４）を画面（１０）上に表示する工程と、
　そのデータ入力手段（１４）を使用してデータを入力する工程と、
　
その
　そのデータ決定動作と連動して、上記したデータ入力手段（１４）を画面（１０）上から消去するとともに、決定されたデータを選択された設定項目（１２ａ）に移行する工程とを備え、
　
前記選択工程では、前記設定項目（１２）は設定項目名（５６）と設定データ表示部（５７）とから構成され、該設定項目名（５６）が配設された設定項目表示欄（５８）と、設定データ表示部（５７）が配設された設定データ表示欄（６２）とが画面（１０）上に区画して表示され、
　
前記表示工程では、前記
が前記設定データ表示欄（６２）に重畳して
一方、前記設定項目表示欄（５８）が表示された状態で、該設定項目表示欄（５８）の略全体を覆って透過状態のデータ決定キー（７０）が設定され
　
前記決定工程では、該データ決定キー（７０）
指示
【発明の詳細な説明】
　【０００１】
　【発明の属する技術分野】
　この発明は、キーボードやテンキーの様な汎用的なデータ入力手段を備えないコンピュータ応用装置にあって、画面上における指示動作と連動してデータ入力を可能とする方法に関する。
　【０００２】
　【従来の技術】
　従来この種のデータ入力方法は、画面上にキーボードやテンキーを模した図形を描いて入力手段を構成する一方、タッチパネルやマウスを利用して図形上のデータ位置を選択していくことにより、画面上のデータ入力手段を使用して間接的にデータ入力が行える様にしたものが一般的である。
　【０００３】
　更にデータ入力手段の表示時期も、データ入力画面上に常に表示させておくものや、データ入力が選択された時にのみ限定して表示されることも行われる。
　【０００４】
　【発明が解決しようとする課題】
　しかしながら、データ入力手段を常時に表示する方法は、表示画面が狭い場合には特にその存在が邪魔になる。一方、使用のたび毎に表示および消去を繰り返す方法では、ともすると操作方法が複雑となって誤操作する可能性が高い。
　【０００５】
　本発明は上記した不都合に鑑みてなされたものであって、比較的狭い表示画面であってもデータ入力手段の存在が邪魔になることがなく、データ入力手段の表示、消去およびデータ入力に伴う誤操作を可及的に減少させることを可能としたデータ入力方法を提供することを目的とする。
　【０００６】
　【課題を解決するための手段】
　本発明にかかるデータ入力方法は、図１に例示する如く、表示画面１０上に予め設定した１または複数のデータ設定項目１２に対して手動でデータを入力することを可能とするものであって、データを設定すべき項目１２を選択する工程と、その選択動作に対応して、選択された設定項目１２ａに対する手動によるデータ入力を可能とするデータ入力手段１４を画面１０上に表示する工程と、そのデータ入力手段１４を使用してデータを入力する工程と、入力されたデータを決定する工程と、そのデータ決定動作と連動して、上記したデータ入力手段１４を画面１０上から消去するとともに、決定されたデータを選択された設定項目１２ａ側に移行する工程とを備えている。
　【０００７】
　上記した選択された設定項目１２ａの少なくとも一部が表示された状態で上記したデータ入力手段１４が画面１０上に表示されるとともに、データ入力手段１４の表示位置以外の部分を選択することにより、上記した入力データの決定動作が行われることを特徴とする。
　【０００８】
　上記した設定項目１２は、図２（ａ）の如く、設定項目名５６と設定データ表示部５７とから構成され、上記したデータ入力手段１４は、少なくとも選択された設定項目名５６を表示した状態で画面１０上に表示されるとともに、選択された設定項目名５６ａが図１の様に反転表示されることが好ましい。
　【０００９】
　上記した画面１０に重畳してタッチパネル３０を配設し、指先による指示動作を可能とする一方、上記したデータ入力手段１４上にはテンキー６８を配設することにより、数値データの入力を可能とすることができる。
　【００１０】
　また、上記した選択された設定項目１２ａの全体を覆い隠す状態で、図９の様なデータ入力手段１４を画面１０上に表示するとともに、そのデータ入力手段１４上に選択された設定項目名５６ａの様な入力項目１２ａの少なくとも一部を表示し、更にデータ入力手段１４を選択することによって上記した入力データの決定動作が行われる様に構成してもよい。
　【００１１】
　【発明の効果】
　本発明は、比較的狭い表示画面であってもデータ入力手段１４の存在が邪魔になることがなく、データ入力手段１４の表示、消去およびデータ入力に伴う誤操作を可及的に減少させることを可能とした。
　【００１２】
　【発明の実施の形態】
　以下本発明を、図１および図３で示す如く、ターゲットシステム２０を制御するＰＬＣ１６の操作盤として使用するプログラム式表示装置１８に実施した一例に基づいて具体的に説明するが、各種装置の表示専用あるいはそれ単独で動作する表示装置など、その構成が限定されるものではない。
　【００１３】
　ターゲットシステム２０を制御するＰＬＣ１６は、ＣＰＵユニットやメモリユニットなどの必要とする個別の機能毎に回路がユニット化され、各ユニットを必要に応じて適宜追加可能に接続することにより、ＰＬＣ全体として達成される機能を増減可能とする従来と略同様な構成のものである。
　【００１４】
　プログラム式表示装置１８は、ＰＬＣ１６とともにターゲットシステム２０の操作卓などに一体に組み込み、あるいはそれ自身が独立して配備され、ターゲットシステム２０に対する操作および表示盤として使用されるものであって、後述する処理指示語を用いて各種のデータ処理動作を行なわせる。
　【００１５】
　図１に例示する如く、本体ケース２２の正面中央位置に大きく設けた開口２４を閉じる様にＣＲＴ、ＥＬ、プラズマあるいは液晶などの各種表示手段から選択されるディスプレイ２６を配置したものであって、更に、ディスプレイ２６の表示画面１０は、必要最小限のデータを表示可能なハンディサイズに構成している。
　【００１６】
　本体ケース２２の内部には、図３に示す表示制御回路２８を収納する一方、上記したディスプレイ２６における表示画面１０の略全面を透明なタッチパネル３０により密着状態で覆っている。このタッチパネル３０に対する指示動作は、タッチパネルコントローラ３２を介して取り込まれてその指示座標が解析され、テスト時、システム全体としての運転開始前における初期設定時あるいは運転中における指先による各種手動操作を可能とする。
　【００１７】
　表示制御回路２８の基本的な構成は、一般的なパソコン装置と略同一であって、バスラインを介してＣＰＵ３４、ＲＯＭ３６、ＲＡＭ３８をはじめとする各種メモリ、あるいはグラフィックコントローラ４０が接続され、ＲＯＭ３６内に格納されたシステムプログラムに従ってＣＰＵ３４が所定の演算動作を行う一方、ＲＡＭ３８に適宜格納される各種の演算結果はグラフィックコントローラ４０によりビデオＲＡＭ４２上へビットイメージとして展開され、ビデオＲＡＭ４２内への書き込み内容に対応した表示をディスプレイ２６上で行う。
　【００１８】
　更に、ＰＬＣ１６の回路構成に特化したアルゴリズムあるいは汎用の通信プログラムで作動する通信コントローラ４４および通信路４６を介し、ＰＬＣ１６側との間で表示あるいは制御に必要なデータの受け渡しを可能とすることにより、ＰＬＣ１６とプログラム式表示装置１８とが最小限の時間遅れをもって、略同一内容のデータを互いに保持する様にしている。
　【００１９】
　ここでプログラム式表示装置１８においては、図２（ａ）に例示する銘板の様な表示内容に変更を要しない静止図形４８、あるいは形状変化や点滅あるいは色変化させるスイッチ図形のような部品図形５０をベース画面上に１または複数備えて構成された画面を単位画面とする。更に、１台のプログラム式表示装置１８内には複数の単位画面をそのデータ処理用として備えるとともに、各単位画面毎に異なったファイル番号Ｆを指定することにより、単位画面を切り換えるだけで必要な操作内容を表示した画面が得られるようにしている。
　【００２０】
　更に、１つの単位画面が選択されると、図５の様にＲＡＭ３８上に設定された事象データ用メモリ５２上に予め格納しておいた、図４（ａ）で例示する、選択された単位画面に関係する処理指示語Ｗを微小時間毎に間欠的に読み出し、各処理指示語Ｗの事象名Ｎで特定される内容の動作をＰＬＣ１６側から取り出されたデータを参照しながら順次に実行することにより、状態データ用メモリ５４上のビットデータあるいはワードデータの内容変化に即応して表示内容が変化するデータ処理動作がディスプレイ２６の表示画面１０上で行われる。
　【００２１】
　すなわち処理指示語Ｗの基本的な構成は略同一であって、図４（ａ）の如く、表示制御動作を実行すべきベース画面のファイル番号Ｆと、そのベース画面上で実行すべき動作内容を特定する事象名Ｎと、各実行事象毎に参照される１又は複数のデータからなる参照情報ｒとを１組として備えている。
　【００２２】
　例えば、図４（ｂ）に示す処理指示語ＷＴは、タッチパネル３０に対する押圧操作と連動して、状態データ用メモリ５４内の所定アドレス位置に設定したビットデータＡ１を反転可能とするものである。すなわち、単位画面のファイル番号Ｆ１、タッチパネル３０の操作を特定する例えば「Ｔ」から始まる事象名Ｎ１、タッチパネル３０からの入力操作を有効とする入力座標範囲Ｘ・Ｙ、タッチパネル３０の押し操作と連動してデータを書き換えるべきアドレスＡ１とから構成される。
　【００２３】
　更に図４（ｃ）に示す処理指示語ＷＳは、所定の座標位置に文字列を表示するとともに、状態データ用メモリ５４に設定したビットデータＡ１の変化に対応してその状態を変化させるものであって、ベース画面のファイル番号Ｆ１、文字列の表示を特定する例えば「Ｓ」から始まる事象名Ｎ２、文字列の表示座標範囲Ｘ・Ｙ、表示すべき文字列の格納アドレスＡ２、文字列を反転表示させるタイミングを指示するビットデータのアドレスＡ１とから構成される。
　【００２４】
　ここで図５の様に、座標範囲Ｘ・Ｙと参照アドレスＡ１とを共に一致させた２つの処理指示語ＷＴ１・ＷＳ１を１組として事象データ用メモリ５２に設定しておく。また、状態データ用メモリ５４のアドレスＡ１におけるビットデータにおける初期値を「０」とするとともに、参照ビットデータＡ１が「０」の場合には表示文字列が標準モードで表示される様に設定すると、指定座標範囲Ｘ・Ｙには例えば図２に例示する如く、「スタンバイ時間」の様な必要な項目名５６が表示される。
　【００２５】
　同様にして、「スタートタイム」や「パスワード」など、システムの初期設定時に必要な設定項目名５６を表示画面１０の左半分を用いてリストアップすることにより設定項目名表示欄５８を設ける一方、表示画面１０の右半分を利用して、各入力項目１２毎の設定データ表示部５７からなる設定データ表示欄６２を設定することにより、システム設定画面６０を構成する。
　【００２６】
　上記の様なシステム設定画面６０がディスプレイ２６の表示画面１０上に表示された状態でタッチパネル３０における任意箇所を押すと、図５の様にタッチパネル３０用の処理指示語ＷＴが検索され、タッチパネル３０を介してなされた指示座標から該当の座標を含む範囲を座標情報ｒとして有する処理指示語ＷＴの有無を判定する。
　【００２７】
　例えば、座標範囲Ｘ・Ｙの内の一点が押された場合、上記の様にして構成された処理指示語ＷＴ１に対応する（矢印ａ参照）ので、該当のアドレスＡ１におけるデータ値を「０」から「１」に反転する（矢印ｂ参照）。それと同時に、処理指示語ＷＳ１は参照アドレスＡ１が「１」に変化したことを判断（矢印ｃ参照）し、該当の設定項目が選択された状態に対応する反転状態に表示が変更される（矢印ｄ参照）。
　【００２８】
　本発明は上記したシステム設定画面６０において、キーボードを用いることなく、タッチパネル３０における位置指定機能を利用し、選択された各設定項目毎に個別の数値設定を可能とする構成に特徴を有するものであって、この構成を実施するため、図４（ｄ）に示すライブラリ画面表示用の処理指示語ＷＬと、図２（ｂ）に示すテンキー形状のライブラリ画面６４とを備えている。
　【００２９】
　処理指示語ＷＬは、状態データ用メモリ５４に設定したビットデータＡ１のセット時に対応して、ライブラリ用メモリ６６から所定のライブラリ画面６４を呼び出し、現在の表示画面１０に重畳してそのライブラリ画面６４を表示可能とするものであって、ベース画面のファイル番号Ｆ１、ライブラリ画面６４の表示を特定する例えば「Ｌ」から始まる事象名Ｎ３、呼び出すべきライブラリ画面６４のファイル番号Ｆ２、ライブラリ画面６４を表示させるタイミングを指示するビットデータのアドレスＡ１とから構成される。
　【００３０】
　またライブラリ画面６４は、ベース画面の右半分を使用してテンキー６８を構成し、左半分を使用してデータ決定キー７０を構成している。ここでテンキー６８は、上部に入力データの表示部７２を備える一方、上記したタッチパネル指示入力用の処理指示語ＷＴや文字列表示用の処理指示語ＷＳをはじめとした各種の処理指示語を使用して、１０進あるいは１６進数のキーボードを構成することにより、各キー７４の押圧に対応してその数値が表示部７２に表示される様に構成している。
　【００３１】
　なお、入力データのクリアキー７６を備えることにより、表示部７２の数値を「０」に強制的に復帰させ、あるいはデータ入力の中止キー７８を備えることにより、データ入力中であってもデータ入力動作それ自体を強制的に中止できる様にしている。
　【００３２】
　次に入力データの決定キー７０は、ベース画面の左半分を一杯に使用して設定されるとともに、そのキー７０の存在を示す一切の表示を行わない。一方、上記したライブラリ画面表示用の処理指示語ＷＬにおける表示モードＭとして、透過または不透過の区別を設けている。ここで不透過の場合は重畳される画面の表示を消去するが、透過モードに設定すると、ライブラリ画面６４中における画像表示がされていない箇所における重畳される側の表示がそのまま消去されることなく表示される。
　【００３３】
　本実施例にあっては、処理指示語ＷＬ１におけるライブラリ画面６４のファイル番号Ｆ２として前記したテンキー６８を備えたものを指定するとともに、参照ビット位置として上記したタッチパネル３０の操作でオンされるビット位置Ａ１を指定し、さらに表示モードを「透過」に設定している。
　【００３４】
　すると、図１および図６に例示する如く、システム設定画面６０における左半分の設定項目名表示欄５８中における選択された項目名５６ａが反転した状態の表示を維持したまま、右半分にテンキー６８が表示される。かかる状態でテンキー６８を利用して設定値を入力したあと、表示画面１０の左半分を指示する。
　【００３５】
　この指示部分には、タッチパネル３０に対する指示位置を処理する処理指示語ＷＴ２を使用してデータ決定キー７０が設定されているが、図７の様に、状態データ用メモリ５４のアドレスＡ１位置にあるビットデータをリセットする様に予め設定しておくことにより、同データは「０」に復帰する。
　【００３６】
　このデータ変化は、図８の様に処理指示語ＷＬ１で検出されてライブラリ画面６４を消去し、更に処理指示語ＷＳ１により選択項目名５６に対する反転状態を元に戻すとともに、テンキー６８で設定された数値が対応する設定データ表示欄６２に表示されるのである。
　【００３７】
　このデータ変更状態は、図２（ａ）に示すシステム設定画面６０上に更に設けたセットキー８０を押すことによりその内容が確定され、エスケープキー８２を押すことにより放棄されてシステム設定動作は終了するのである。
　【００３８】
　図９は、ディスプレイ２６の表示画面１０が上記した場合よりも更に小さい場合における、データ設定項目１２の選択時に呼び出されるライブラリ画面６４ａの他の実施例であって、ディスプレイ２６の表示画面１０における全面を使用してデータ入力手段１４が設定されている。
　【００３９】
　すなわち本実施例にあっては、ライブラリ画面６４ａの呼出し時にシステム設定画面６０をすべて消去した状態でテンキー６８の様なデータ入力手段１４が表示される。更に画面１０上には、入力データの決定キー７０ａと、選択した設定項目名５６ａが同時に表示されることにより、設定内容を確認しながら数値入力を可能とするとともに、その設定内容が容易に決定できる様にしている。
　【００４０】
　なお、データ入力時に呼び出されるライブラリ画面６４は、テンキー形状に限らず、フルキーボード形状など、データが入力可能なものであれば、限定されるものではない。またデータの入力方法も、タッチパネルによる指先の指示に代えて、マウスの様なポインティングデバイスによる指示も可能である。
　【００４１】
　更にまた、ライブラリ画面６４上に設けるデータ決定キー７０の位置あるいは大きさは、重畳される画面における各入力項目の位置あるいは表示画面１０の大きさに対応して、任意に変更できる。
【図面の簡単な説明】
　【図１】
　本発明をプログラム式表示装置に実施した一例を示す正面図である。
　【図２】
　（ａ）はシステム設定画面の一例を示す説明図であり、（ｂ）はライブラリ画面の一例を示す説明図である。
　【図３】
　プログラム式表示装置の一例を示すブロック図である。
　【図４】
　処理指示語の一例を示す説明図である。
　【図５】
　システム設定画面の表示過程を示す説明図である。
　【図６】
　ライブラリ画面の表示過程を示す説明図である。
　【図７】
　入力データの決定過程を示す説明図である。
　【図８】
　ライブラリ画面の消去過程を示す説明図である。
　【図９】
　ライブラリ画面の他の実施例を示す説明図である。
　【符号の説明】
　１０　画面
　１２　データ設定項目
　１４　データ入力手段
　１６　ＰＬＣ
　１８　プログラム式表示装置
　２０　ターゲットシステム
　２２　本体ケース
　２４　開口
　２６　ディスプレイ
　２８　表示制御回路
　３０　タッチパネル
　３２　タッチパネルコントローラ
　３４　ＣＰＵ
　３６　ＲＯＭ
　３８　ＲＡＭ
　４０　グラフィックコントローラ
　４２　ビデオＲＡＭ
　４４　通信コントローラ
　４６　通信路
　４８　静止図形
　５０　部品図形
　５２　事象データ用メモリ
　５４　状態データ用メモリ
　５６　項目名
　５８　設定項目名表示欄
　６０　システム設定画面
　６２　設定数値表示欄
　６４　ライブラリ画面
　６６　ライブラリ用メモリ
　６８　テンキー
　７０　データ決定キー
　７２　表示部
　７４　キー
　７６　クリアキー
　７８　中止キー
　８０　セットキー
　８２　エスケープキー